(57)【要約】      （修正有） 【課題】外出時の授乳の負担を軽減させる為携帯用授乳クッション付きの授乳用バックパックを提供する。【解決手段】授乳用バックパック１とクッションを一体化することにより外出時の荷物を軽減し、クッションが有ることにより授乳の負担を軽くする。また、２つの用途の異なる連結部４，５があり通常に使用する物と授乳時用に使用する物が有り、これらを使い分ける事により授乳用クッションとして使う際に落下や位置ずれを防止できる。【選択図】図４
0003184655.tif 000002
【実用新案登録請求の範囲】
【請求項１】
上部又は側部開口（９）にファスナーを備え、背面は乳児を乗せる載置面（８）としたバックパック（１）であって２本の肩紐（７、７）のそれぞれの一端は前記バックパック（１）上方の巾方向中央部に固定され、他の端は連結具Ａ（３）が固着され、核連結具（３）はバックパック（１）の下方巾方向の左右寄りに固定された連結具Ｂ（４）により着脱自在に係止されると共に前記バックパック（１）の下面側の巾方向の左右寄りの少なくとも一方に連結具Ｃ（５）を固着し、更に前記バックパック（１）内にクッション（２）を着脱自在に内装したことを特徴とする授乳用バックパック。
【請求項２】
バックパック（１）内へのクッションの内装は、2分割したクッション（２）としたことを特徴とする請求項１に記載の授乳用バックパック。
【請求項３】
バックパック（１）は側方の少なくとも一方が凹面であることを特徴とする請求項１又は２のいずれかに記載の授乳用バックパック。
【請求項４】
バックパック（１）側面に折り畳み式の入れ物を設けたことを特徴とする請求項１〜3いずれかに記載の授乳用バクパック。
【考案の詳細な説明】
【技術分野】
【０００１】
本考案は、外出時の授乳時の負担を軽減する為の携帯用授乳クッションに関するものである。
【背景技術】
【０００２】
授乳の際、授乳する側の負担と乳児の体制不安定さを取り除く為に膝と乳児の間に使用する様々な授乳用クッションと言うものが提案されている。
【０００３】
例えば、乳児を乗せる上面を凹状とし、巾方向に略水平として乳児の足部から頭部へ向けて高くなるように傾斜させた授乳用クッションが知られている。(例えば、特許文献1参照)
【先行技術文献】
【特許文献】
【０００４】
【特許文献１】特許第４４６２９６５号公報
【考案の概要】
【考案が解決しようとする課題】
【０００５】
しかし、これら公知の授乳用クッションはいずれも外出時に授乳者が携帯するには不向きな構造のものであった。従って、外出時に容易に持ち運びすることが可能な授乳用クッションが望まれていた。
【０００６】
外出時の授乳の際クッションの使用者、乳児ともに負担のかからないよう乳児を安定した状態に維持して授乳させることができる授乳用クッション付きバックパックを提供する。
【課題を解決するための手段】
【０００７】
従来の授乳用クッションでは、個別に持って歩かなくてはならず外出時の携帯に不便な為授乳用クッションとバックパックとの一体化により外出時のクッションの携帯を容易にすることを目的とする。
【０００８】
本願考案は、請求項１に記載したとおり上部又は側部開口（９）にファスナーを備え、背面は乳児を乗せる載置面（８）としたバックパック（１）であって２本の肩紐（７、７）のそれぞれの一端は前記バックパック（１）上方の巾方向中央部に固定され、他の端は連結具Ａ（３）が固着され、核連結具（３）はバックパック（１）の下方巾方向の左右寄りに固定された連結具Ｂ（４）により着脱自在に係止されると共に前記バックパック（１）の下面側の巾方向の左右寄りの少なくとも一方に連結具Ｃ（５）を固着し、更に前記バックパック（１）内にクッション（２）を着脱自在に内装したことを特徴とする授乳用バックパックである。
【０００９】
又、別の考案として、請求項２に記載したとおり、バックパック内へのクッションの内装は、２分割したクッションとしたことを特徴とする請求項１に記載の授乳用バックパックである。更に請求項3として、バックパックは側方の少なくとも一方が凹面であることを特徴とする授乳用バックパックである。請求項4としてバックパック（１）側面に折り畳み式の入れ物を設けたことを特徴とする請求項１〜4いずれかに記載の授乳用バクパックである。
【考案の効果】
【００１０】
バックパックと授乳クッションを一体化することにより外出時の荷物の軽減を図りクッションが有ることにより授乳者と乳児の両者の授乳の負担を軽くする。
【００１１】
乳児を乗せる側のクッションには、綿や緩衝材などを使い乳児を安定させる。
【００１２】
通常のバックパックとして使用することが可能で、外出時荷物を入れ尚且つ中に入れた物の厚みで授乳に必要な高さが得られる。
【００１３】
外出時の授乳の際、乳幼児の重さとバックパック内の荷物で使用者の膝に重量の負担を軽減する為バックパックの背中側に緩和材を使用する。
【００１４】
バックパックの側面には授乳の際、哺乳瓶などの一時的な置き場として折り畳み式の小物入れが付いている。バックパックとして使う際はボタンやマジックテープ（登録商標）などでバックパックの側面に折り畳みされていて授乳の際はこれを広げる。
【図面の簡単な説明】
【００１５】
【図１】授乳用バックパックの斜視図。
【図２】授乳用バックパックの使用状態の説明図。
【図３】授乳用バックパック内面図。
【図４】授乳用バックパックを取り付けた状態の斜視図。
【図５】小物入れ使用図
【考案を実施するための形態】
【００１６】
以下、本考案の実地例を図面に基づいて詳細に述べる。
【実施例】
【００１７】
図1は、本考案の授乳用バックパック(1)位の斜視図を示す。この授乳用バックパック(1)は従来公知の両肩に背負って用いるものであっても良い。本実施例では、
開口（９）はバックパックの上部と側部の一部にかけて連続して形成されており、その開口（９）にはファスナー（６）が取り付けられている。この開口（９）からクッション（２）をバックパック内に挿入して載置面（８）側に載置面（８）に沿って内装する。この載置面（８）には授乳時に乳児が乗せられるためできるだけ、ポケットなどの突起物は設けないことが望ましい。
【００１８】
又、クッション（２）は一体ものでも良いが、例えば、2つに分割して内装しても良い。
分割したクッション（２）を用いることで、2つのクッション（２）を別々に扱えるため
に内装場所の調整が可能であり、又、小さいことで内装のし易さなどのメリットがある。
肩紐（７，７）は2本であり、一端は、バックパック上方の巾方向中央部に固定され、
他端は、連結部Ａ（３）が取り付けられており、この連結具Ａ（３）はバックパック（１）の下方巾方向の左右寄りに固定された連結具Ｂ（４）により着脱自在に係止される。この状態で、通常の両肩に背負って用いることができる。
【００１９】
又、バックパック（１）の下面側の巾方向の左右寄りの少なくとも一方に連結具Ｃ（５）を固着し連結具Ａ（３）と着脱自在に係止される。この状態で、授乳のために用いることができる。
図２は授乳用バックパックの使用状態を示す説明図である。本発明の授乳用バックパック（１）を載置面（８）が平にセットされると、この載置面（８）の上に乳児を乗せ授乳することになる。バックパック内に挿入すると載置面（８）上は柔らかく、乳児の体に沿って授乳中の授乳者と乳児の負担が軽減される。
【００２０】
図3は乳児用バックパックの内面図である。開口（９）からクッション（２）の出し入れが可能。図４は授乳用バックパック（１）を取り付けた状態の斜視図である。何れか一方の肩紐（７）の連結具Ａ（３）を連結具Ｃ（５）に係止する。この時、連結具Ａ（３）の調節紐を引き締めて肩紐（７）を腰部に密着させることで授乳用バックパック（１）のずれを防止することができる。
図5はバックパック（１）側折り畳み入れ物（１０）である。授乳時に接合具としてのボタンなどの留め具を外し
広げて、哺乳瓶などを置いて使う事ができる。
【符号の説明】
【００２１】
１授乳用バックパック
２クッション
３連結具Ａ
４連結具Ｂ
５連結具Ｃ
６ファスナー
７肩紐
８載置面
９開口
１０折り畳み小物入れ
【図１】
0003184655.tif 000003
【図２】
0003184655.tif 000004
【図３】
0003184655.tif 000005
【図４】
0003184655.tif 000006
【図５】
0003184655.tif 000007